(57)【特許請求の範囲】
【請求項１】
透明容器本体と、該透明容器本体に着脱自在又は開閉自在に取り付けられた蓋体とを備え、前記蓋体は、天板と該天板の外周縁から下方に延びる外周壁とを有し、かつ前記天板及び外周壁の一部又は全部に複数の通気孔が設けられた昆虫類観賞用飼育容器において、
前記蓋体内面に沿う立体形状に成形され、かつ通気のための複数の微小空隙を有する防虫フィルターが前記蓋体の内側面に着脱自在に取り付けられていることを特徴とする昆虫類観賞用飼育容器。
【請求項２】
前記防虫フィルターは、合成樹脂シート等による強度部材としての補強枠体と、これに一体的に接合固着された不織布とからなることを特徴とする請求項１に記載の昆虫類観賞用飼育容器。
【請求項３】
前記補強枠体は、前記蓋体の天板に設けられた窓孔に対向する位置に対応形状の窓枠部が設けられ、該窓枠部の内側の不織布が切除可能なものとなっている請求項２に記載の昆虫類観賞用飼育容器。
【請求項４】
前記補強枠体は、その下端縁に外方に向けて張り出し状にフランジ部が設けられ、該フランジ部にその大きさや形状を可変調整するための切断線が設けられ、この切断線に沿ってフランジ部を切断することにより、形状や大きさの異なる複数種類の蓋体に適合させることができるようになされている請求項２ないし請求項３のいずれかに記載の昆虫類観賞用飼育容器。
【請求項５】
透明容器本体と、該透明容器本体に着脱自在又は開閉自在に取り付けられた蓋体とを備え、前記蓋体は、天板と該天板の外周縁から下方に延びる外周壁とを有し、前記天板及び外周壁の一部又は全部に複数の通気孔が設けられた昆虫類観賞用飼育容器に用いられる防虫フィルターであって、
前記蓋体内面に沿う立体的形状に成形され、かつ通気のための複数の微小空隙を有するとともに、前記蓋体の内側面に着脱自在に取り付けられるものとなされていることを特徴とする防虫フィルター。
【発明の詳細な説明】
【０００１】
【発明の属する技術分野】
この発明は、甲虫、鍬形虫などの昆虫類を飼育しながら、観賞することができる昆虫類観賞用飼育容器及びこれに用いられる防虫フィルターに関する。
【０００２】
【従来の技術】
この種の観賞用飼育容器は、収容しながらにして昆虫を観賞するためにその容器本体が透明であることはもちろんのこと、昆虫の生息環境を良好にするために通気性が要請される。
【０００３】
従って、この種の一般的な飼育容器として、次に示すようなものが公知である。即ち、透明アクリル樹脂等からなるほぼ直方体状の透明容器本体を有し、天板の中央に窓部が設けられた蓋体が前記容器本体に着脱自在又は開閉自在に取り付けられた構成を基本的構成としたものが知られている。前記蓋体は、天板とその天板の外周縁から下方に延びる外周壁とを有する立体的な形状をなし、より広い飼育空間を確保するとともに、前記天板だけでなく外周壁にまで通気孔を設け、底面積が狭い飼育容器でも良好な通気性を確保できるものとなされている。
【０００４】
しかし、このような飼育容器は、その通気孔の大きさが昆虫の逃出を防止する観点から設定されるので、前記通気孔を通じて小バエ等の飛翔虫が容器内に侵入し、増殖することにより、飼育容器内部が不潔になる恐れがあるという問題点を有していた。
【０００５】
そこで、このような問題点を解消するための工夫として、従来、透明容器本体上に薄い不織布やガーゼなどを配置し、その上から蓋体を取り付けるものとして、容器本体内に小バエ等が入らないようにするという手段も多々採用されている。これによれば、透明容器本体内の通気性を確保したまま飛翔虫の侵入を防止することができる点で有利である。
【０００６】
【発明が解決しようとする課題】
しかしながら、上記の昆虫類観賞用飼育容器においては、不織布等が飼育容器内部の空間を仕切ることとなるので、飼育空間が透明容器本体内に制限され、内部空間を有効に活用することができず、立体的に形成された蓋体の機能を減殺するものであった。しかも、天板や外周壁の通気孔といった二方向から流れ込んできた空気が前記不織布等により制限され、飼育空間に流れ込む空気は一方向からのものとなり、飼育空間の通気性を良好に維持できず、外周壁に通気孔を設けた蓋体の機能を減殺する結果となり、必ずしも十分な満足の得られるものでなかった。
【０００７】
また、清掃や給餌などの際には蓋体を着脱或いは開閉することとなるが、その度に不織布等を配置、撤去しなければならず、その作業が煩雑なものとなっている。
【０００８】
更に、不織布を透明容器本体と蓋体とに挟持させることとなるので、蓋体の取付が甘くなる可能性があり、昆虫の逃出の恐れがあるという難点もあった。
【０００９】
この発明は、上記のような問題を解決し、立体的に成形されかつ天板だけでなく外周壁にまで通気孔を設けた蓋体の機能を効果的に発揮せしめうるものでありながら、飛翔虫の侵入を防止しうる昆虫類観賞用飼育容器及びこれに用いられる防虫フィルターを提供することを目的とする。
【００１０】
【課題を解決するための手段】
この発明は、上記のような目的を達成するために、透明容器本体と、該透明容器本体に着脱自在又は開閉自在に取り付けられた蓋体とを備え、前記蓋体は、天板と該天板の外周縁から下方に延びる外周壁とを有し、かつ前記天板及び外周壁の一部又は全部に複数の通気孔が設けられた昆虫類観賞用飼育容器において、前記蓋体内面に沿う立体形状に成形され、かつ通気のための複数の微小空隙を有する防虫フィルターが前記蓋体の内側面に着脱自在に取り付けられていることを特徴とするものである。
【００１１】
これによれば、防虫フィルターは、蓋体内面に沿う立体形状に成形されているので、蓋体の内部空間を有効に活用したまま、飛翔虫の侵入を防止することができる。しかも、天板や外周壁に設けられた通気孔より取り込まれた空気がそれらの対向する位置の防虫フィルターを介して容器内部にまで流れ、容器内部における通気性を良好に維持することができる。また、蓋体の内側面に防虫フィルターが取り付けられるので、美麗な外観を保つことができる。更に、防虫フィルターは、蓋体に対し着脱自在に取り付けられているので、蓋体の着脱又は開閉の度に防虫フィルターを配置、撤去する必要もなく容易に清掃等の作業を行うことができる一方、防虫フィルターが汚染した場合も容易にその交換をすることができる。
【００１２】
また、前記防虫フィルターは、合成樹脂シート等による強度部材としての補強枠体と、これに一体的に接合固着された不織布とからなるものとするのが望ましい。これによれば、防虫フィルターは補強枠体に不織布が一体的に接合固着されているので、不織布が補強枠体で補強されて、成形体強度を保てるとともに、保形性に優れた防虫フィルターとすることができる。また、不織布は、空隙が微小なだけでなく錯綜していることから、より確実に飛翔虫の侵入を防止することができる。
【００１３】
また、前記補強枠体は、前記蓋体の天板に設けられた窓孔に対向する位置に対応形状の窓枠部が設けられ、該窓枠部の内側の不織布が切除可能なものとなっているものが望ましい。これによれば、補強枠体は窓孔に対向する位置に対応形状の窓枠部が設けられているので、使用者の選択により窓枠部に沿ってその部分の不織布を切除することにより、防虫フィルターに対応形状の観察用窓を容易かつ確実に設けることができる。また、窓枠部により対応窓周辺の強度が保持されることから、対応窓の周囲からの不織布の損傷を防止することができる。
【００１４】
更に、前記補強枠体は、その下端縁に外方に向けて張り出し状にフランジ部が設けられ、該フランジ部にその大きさや形状を可変調整するための切断線が設けられ、この切断線に沿ってフランジ部を切断することにより、形状や大きさの異なる複数種類の蓋体に適合させることができるようになされているものが望ましい。これによれば、前記切断線に沿ってフランジ部を切断することにより、防虫フィルターを前記形状や大きさの異なる複数種類の蓋体に容易かつ確実に適合させることができ、汎用性及び経済性に優れたものとなしうる。
【００１５】
また、上記昆虫類観賞用飼育容器に用いられる防虫フィルターは、透明容器本体と、該透明容器本体に着脱自在又は開閉自在に取り付けられた蓋体とを備え、前記蓋体は、天板と該天板の外周縁から下方に延びる外周壁とを有し、かつ前記天板及び外周壁の一部又は全部に複数の通気孔が設けられた昆虫類観賞用飼育容器に用いられる防虫フィルターであって、前記蓋体内面に沿う立体的形状に成形され、かつ通気のための複数の微小空隙を有するとともに、前記蓋体の内側面に着脱自在に取り付けられるようになされていることを特徴とするものである。
【００１６】
この防虫フィルターによれば、立体的に形成されかつ天板だけでなく外周壁にまで通気孔が設けられている蓋体の機能を損なうことなく、飛翔虫の侵入を効果的に防止することができる。しかも、蓋体に対し着脱自在に取り付けられているので、蓋体の着脱又は開閉の度に防虫フィルターを配置、撤去する必要もなく清掃等の作業の容易かつ迅速化を図ることができる。
【００１７】
【発明の実施の形態】
以下にこの発明の好ましい実施の形態を図１ないし図９に示す実施例に基づいて説明する。
【００１８】
図１ないし図３に示す昆虫類観賞用飼育容器（１）は、アクリル樹脂やポリスチレン樹脂等の透明合成樹脂などからなり、ほぼ直方体状の形状を有する透明容器本体（４）と、該容器本体（４）に着脱自在に取り付けられた蓋体（２）と、該蓋体（２）に着脱自在に取り付けられた防虫フィルター（３）とを主要構成部材として構成されている。
【００１９】
前記蓋体（２）は、図１及び図２に示すように、立体的形状、即ちほぼ長方形状の天板（１０）と、該天板（１０）の外周縁から下方に向かって延びる外周壁（１１）とを有し、容器内に広い飼育空間を確保しうるようになされている。天板（１０）は、その中央に大きく窓孔（１２）が設けられ、該窓孔（１２）を通して昆虫の出し入れや給餌などを行うことができるようになされているとともに、該窓孔（１２）に透明合成樹脂からなる窓蓋（１４）が開閉自在に取り付けられている。また、天板（１０）は、窓孔（１２）以外の部分に複数の細長の通気孔（１３）が設けられ、容器内部の通気性を確保しうるものとなされている。一方、外周壁（１１）は、内方に傾斜する傾斜壁（１１ａ）と、該傾斜壁（１１ａ）の下端縁に僅かに外方に突出した蓋フランジ部（１１ｂ）と、その先端縁から垂直下方に延びる垂直壁（１１ｃ）とを備え、前記傾斜壁（１１ａ）には天板（１０）と同様に複数の細長の通気孔（１５）が設けられている。従って、飼育容器（１）は、その内部に天板（１０）の通気孔（１３）からだけでなく外周壁（１１）の通気孔（１５）からも空気が流れ込み、良好かつ効率的な通気性を確保している。
【００２０】
また、図１及び図４に示すように、蓋体（２）の左右両側面の垂直壁（１１ｃ）における内面側上部に内方に突出する鍵状突出部（１６）が左右それぞれ二つずつ設けられ、後述する防虫フィルター（３）のフランジ部（６ａ）下面に係合するものとなされている。これにより、防虫フィルター（３）は蓋体（２）の内側面に着脱自在に取付可能となり、また防虫フィルター（３）が外観に現れないので、飼育容器（１）の外観を美麗なまま維持できる。
【００２１】
蓋体（２）の取付構造は、図１及び図３に示すように、左右両側面の垂直壁（１１ｃ）の前後方向ほぼ中央に下方に延出し、かつその下端縁に内方に突出する鍵状係合部（１７）がそれぞれ一つずつ形成される一方、透明容器本体（４）の周壁の上端縁が下方に折り返されて折り返し部（４ａ）が形成され、前記鍵状係合部（１７）が折り返し部（４ａ）の下面に係合されるものとなされている。
【００２２】
なお、本実施例においては、蓋体（２）は透明容器本体（４）に着脱自在に取り付けられているが、これに限定するものでなく、例えば蓋体の後端縁を軸に開閉自在に取り付けられているものであっても良い。
【００２３】
防虫フィルター（３）は、図５に示すように、不織布（５）と、合成樹脂シートによる強度部材としての補強枠体（６）とを備える。
【００２４】
補強枠体（６）は、図５に示すように、ポリエチレン、ポリ塩化ビニル等の熱可塑性合成樹脂シートからなり、上記蓋体（２）に沿う３次元枠体に成形されている。即ち、平面視において天板（１０）よりやや小さい蒲鉾型形状の周縁を囲う上部周枠（６ｃ）と、その４隅から下方に延びる側柱枠（６ｄ）と、それらの側柱枠（６ｄ）の下端縁に４隅が連接され、かつ上部周枠（６ｃ）よりやや大きい下部周枠（６ｅ）と、前記蓋体（２）の天板（１０）の窓孔（１２）に対向する位置に設けられた窓枠部（７）と、後述する形状の異なる蓋体（５２）の窓孔（６２）に対向する位置に設けられた予備窓枠部（８）と、前記下部周枠（６ｅ）の下端縁から外方に向けて張り出し状に設けられたフランジ部（６ａ）とを有する。また、補強枠体（６）の内側には、フランジ部（６ａ）を除く内側面全体を覆う態様で、その内側に不織布（５）が張りめぐらされ熱融着により一体的に接合固着されている。これにより前記蓋体（２）の内面に沿った立体形状の防虫フィルター（３）が構成されたものとなされている。即ち、防虫フィルター（３）は、図２及び図５に示すように、蓋体（２）の天板（１０）に対向し、かつ該天板（１０）にほぼ当接する上面壁（３ａ）と、該上面壁（３ａ）の周縁から下方に延び、かつ蓋体（２）の外周壁（１１）に対向する周面壁（３ｂ）とを有する形状に成形され、全体として蓋体（２）の内部空間に収容されるように設定されている。上面壁（３ａ）は、図６に示すように、前縁が湾曲した平面視においてほぼ蒲鉾型形状を有し、後述する種類の異なる蓋体（５２）の内面にも沿うものとなされている。一方、周面壁（３ｂ）は、蓋体（２）の外周壁（１１）と同様に、内方に傾斜したものとなされている。
【００２５】
このように、防虫フィルター（３）が蓋体（２）の内面に沿う立体形状に成形されるので、蓋体（２）の内部空間を飼育空間として有効に活用することができ、立体的に成形された蓋体（２）の機能を損なうことはない。しかも、蓋体（２）の天板（１０）及び外周壁（１１）の通気孔（１３）（１５）に対向する位置に通気性を有する不織布（５）が備えられているので、天板（１０）や外周壁（１１）に設けられた通気孔（１３）（１５）が取り込んだ空気がそれらの対向する位置の不織布（５）を介して容器内部にまで流れ、容器内部における通気性を良好に維持することができる。また、防虫フィルター（３）は不織布（５）を備えているので、目の粗い通気孔をすり抜けることができる飛翔虫も不織布（５）に阻まれて容器内部に侵入することができず、飛翔虫の侵入を確実に阻止することができる。更に、不織布（５）が上記補強枠体（６）に接合固着されることにより、不織布（５）の型くずれがなくなり、保形性に優れたものとなるとともに、不織布（５）の角部からの損傷を防止するという利点もある。
【００２６】
窓枠部（７）は、前記蓋体（２）の窓孔（１２）に対応する形状を有する。即ち、図２及び図６に示すように、窓孔（１２）よりも前後方向に若干小さい長方形状の窓枠部（７）が、上部周枠（６ｃ）に囲まれた面のほぼ中央に大きく設けられている。本実施例においては、窓枠部（７）の両縦枠が前後方向に延設され、上部周枠（６ｃ）に連続して形成されている。これにより、図７に示すように、窓枠部（７）に沿ってハサミなどで窓枠部（７）の内側の不織布（５）を切り取ることにより、容易に防虫フィルター（３）に蓋体（２）の窓孔（１２）に対応した形状の観察用窓を設けることができる。しかも、対応窓により蓋体（２）の窓孔（１２）を有効に活用することができる。また、窓枠部（７）により対応窓周辺の強度が保持されることから、対応窓の周囲における不織布（５）の損傷を防止することができる。
【００２７】
予備窓枠部（８）は、図９に示すように防虫フィルター（３）を後述する形状の異なる蓋体（５２）に使用する場合に該形状の異なる蓋体（５２）の窓孔（６２）に対応した対応窓を設けることを可能としたもので、本実施例においては、縦枠を窓枠部（７）のものと共通にし、横枠が窓枠部（７）のものより若干内側に設定されている。また、窓枠部（７）と同様に、予備窓枠部（８）内の不織布（５）を切除することにより、前記形状の異なる蓋体（５２）の窓孔（６２）に対向する位置に対応窓を容易に形成することができる。
【００２８】
また、フランジ部（６ａ）は、その外周縁が蓋体（２）の垂直壁（１１ｃ）内面に当接するように設定され、その上面前縁部に湾曲した切断線（６ｂ）が設けられている。該切断線（６ｂ）は、フランジ部（６ａ）の大きさや形状を可変調節するためのものであり、図９に示すように防虫フィルター（３）を後述する形状の異なる蓋体（５２）に適合させる場合に不必要なフランジ部（６ａ）の切断箇所を明確にする。なお、切断線の（６ｂ）の形状は、防虫フィルター（３）を形状の異なる蓋体（５２）に使用することができるように、即ち防虫フィルター（３）を形状の異なる蓋体に使用した場合に切断後のフランジ部の外周縁が形状の異なる蓋体（５２）の垂直壁（６６ｃ）内面に当接するように設定される。また、切断線（６ｂ）は、実線、破線、一点鎖線等の線を含み、平面的に描かれたものだけでなく、ミシン目によるものや溝によるもの等も含まれる。
【００２９】
防虫フィルター（３）の取り外しは、まず垂直壁（１１ｃ）を外方に指などで広げ、蓋体（２）を透明容器本体（４）から取り外す。その後、更に垂直壁（１１ｃ）を外方に広げることにより、蓋体（２）の鍵状突出部（１６）の防虫フィルター（３）のフランジ部（６ａ）下面に対する係合を解いて、簡単に取り外すことができる。また、防虫フィルター（３）の取付は、図４に示すように、防虫フィルター（３）のフランジ部（６ａ）の一側縁を前記蓋体（２）の一側面の鍵状突出部（１６）に引っ掛けた後、他側縁を上方に押し込むことにより簡単に取り付けることができる。
【００３０】
本実施例においては、防虫フィルター（３）は、次のような異種の蓋体（５２）に対しても適合させることができるように設定されている。即ち、異種の蓋体（５２）は、図９に示すように、前面が外方凸状に湾曲し、平面視においてほぼ蒲鉾型の形状を有し、また上面に設けられた窓孔（６２）が前後方向にやや短く設定されている点で前記蓋体（２）と異なる。他の構成は、前記蓋体（２）とほぼ同一のものである。
【００３１】
防虫フィルター（３）を前記異種の蓋体（５２）に適合させる際には、図８に示すように、先ずフランジ部（６ａ）の切断線（６ｂ）に沿って、ハサミなどで不要なフランジ部（６ａ）を切り落とし、フランジ部（６ａ）の外周縁が異種の蓋体（５２）の垂直壁内面に当接されるように設定する。次に、使用者の選択により予備窓枠部（８）に沿って不織布（５）を切除し、異種の蓋体（５２）の窓孔（６２）に対応した対応窓を形成し、窓孔（６２）を活用可能なものとする。あとは、上記蓋体（２）と同様に防虫フィルター（３）を異種の蓋体（５２）に取り付けて使用するものである。
【００３２】
このように、防虫フィルター（３）に切断線（６ｂ）を予め設けておくことにより、防虫フィルター（３）を形状を異にする他の種類の蓋体（５２）に容易に適合させることができ、経済性に優れたものとなる。
【００３３】
なお、本実施例においては、防虫フィルター（３）として補強枠体（６）に不織布（５）が融着されたものを用いたが、これに限定されるものでなく、例えば不織布（５）が補強枠体（６）に接着されるものや補強枠体（６）を用いずに不織布（５）自体が前記蓋体（２）の内面に沿う立体形状に成形されたものを用いても良い。
【００３４】
また、本実施例においては、空隙が微小なだけでなく錯綜していて飛翔虫類の確実な侵入防止を図りうるとともに、材料コストの有利性等の観点から不織布（５）を採用したが、これに限定されるものではなく、飛翔虫類の侵入を防止し得るような微小な空隙をもった他のシート状材料、例えば合成樹脂等の多孔パンチングシート、ネット状或いはガーゼ状の編織布帛等を採用しても良い。
【００３５】
更に、防虫フィルター（３）は、平面視において蒲鉾型形状のものを用いたが、これに限定するものでなく、例えば平面視長方形状のものであっても良い。ただ、上記のように形状の異なる蓋体（５２）にも使用する場合は、該形状の異なる蓋体（５２）の形状を考慮してその形状を決定する必要がある。
【００３６】
また、本実施例においては、鍵状突出部（１６）をフランジ部（６ａ）に係合させることにより防虫フィルター（３）を蓋体（２）に取り付けるものとしたが、防虫フィルター（３）の取付はこれに限定するものでなく、例えば防虫フィルター（３）の上面の一部に貼付された両面接着テープ等により着脱自在に取り付けるものとしても良い。
【００３７】
また、切断線（６ｂ）は、フランジ部（６ａ）の上面前縁部に設けるものとしたが、これに限定されるものでなく、例えば防虫フィルター（３）が適合される異種の蓋体（５２）の形状や大きさを考慮してフランジ部（６ａ）の前縁部だけでなく、後縁部や両側縁部にも設けるものとしても良いし、また、上面だけでなく下面に設けるものとしても良い。
【００３８】
【発明の効果】
以上のように、この発明の昆虫類観賞用飼育容器によれば、立体的に形成された蓋体の内部空間を有効に活用したまま、飼育容器内部への飛翔虫の侵入を防止することができる。かつ、天板及び外周壁に通気孔を設けた蓋体の機能を効果的に発揮せしめ、容器内部における通気性を良好に維持することができる。また、昆虫類観賞用飼育容器の外観を美麗に維持することができるとともに、容器内部の清掃等や防虫フィルターの交換を容易かつ迅速に実現することができる。
【００３９】
また、防虫フィルターが補強枠体に不織布が一体的に接合固着されたものである場合、防虫フィルターの成形体強度を向上することができるとともに、より優れた保形性を達成することができるという利点がある。
【００４０】
更に、防虫フィルターが蓋体の窓孔に対向する位置に対応形状の窓枠部を接合固着されたものである場合、前記窓枠部に沿って簡単に防虫フィルターを切除することができ、防虫フィルターに前記蓋体の窓部に対応した形状の対応窓を容易かつ確実に設けることができるという利点がある。また、防虫フィルターに対応窓を設けた場合に対応窓周囲の強度を保つことができ、対応窓周縁からの防虫フィルターの損傷を防止することができる。
【００４１】
また、補強枠体のフランジ部にその大きさや形状を可変調整するための切断線が設けられ、この切断線に沿ってフランジ部を切断することにより、形状や大きさの異なる複数種類の蓋体に適合させることができるようになされているもので場合、該切断線に沿ってフランジ部を切り取ることにより前記形状や大きさの異なる蓋体に適合可能な防虫フィルターに容易かつ迅速に成形することができるとともに、前記形状や大きさの異なる蓋体に適合した新たな防虫フィルターを用意する必要がなく、汎用性及び経済性に優れた付加価値の高いものとなるという利点がある。
【００４２】
更に、上記昆虫類観賞用飼育容器に用いられる防虫フィルターによれば、立体的に形成された蓋体の内部空間を有効に活用したまま、飼育容器内部への飛翔虫の侵入を防止することができる。かつ、天板及び外周壁に通気孔を設けた蓋体の機能を効果的に発揮せしめ、容器内部における通気性を良好に維持することができる。また、容器内部の清掃等や防虫フィルターの交換を簡単かつ容易に実現することができる。
【図面の簡単な説明】
【図１】この発明に係る昆虫類観賞用飼育容器を、蓋体及び防虫フィルターを分離した状態で示す斜視図である。
【図２】図１のＩＩ−ＩＩ線の断面図である。
【図３】蓋体の取付構造を示す断面図である。
【図４】防虫フィルターの取付構造を示す断面図である。
【図５】防虫フィルターの斜視図である。
【図６】防虫フィルターの平面図である。
【図７】防虫フィルターの窓枠部に沿って不織布を切除する状態を示す斜視図である。
【図８】防虫フィルターのフランジ部の一部を切断線に沿って切断する状態を示す斜視図である。
【図９】この発明の他の実施形態を示す図１相当の斜視図である。
【符号の説明】
１・・・昆虫類観賞用飼育容器
２・・・蓋体
３・・・防虫フィルター
４・・・透明容器本体
５・・・不織布
６・・・補強枠体
６ａ・・・フランジ部
６ｂ・・・切断線
７・・・窓枠部
８・・・予備窓枠部
１０・・・天板
１１・・・外周壁
１２・・・窓孔
１３・・・通気孔
１４・・・窓蓋
１５・・・通気孔
５２・・・形状の異なる蓋体
【図１】
0003568459.tif 000002
【図２】
0003568459.tif 000003
【図３】
0003568459.tif 000004
【図４】
0003568459.tif 000005
【図５】
0003568459.tif 000006
【図６】
0003568459.tif 000007
【図７】
0003568459.tif 000008
【図８】
0003568459.tif 000009
【図９】
0003568459.tif 000010